(57)【要約】【課題】発熱の状態に応じた劣化が生じ、輝度が低下する性質を有する発光素子から成る画素が複数、配列されて成る画像表示部の熱分布推定方法を提供する。【解決手段】所定の時間毎に、画像データに基づいて、複数の画素が配列されて成る画像表示部における少なくとも１つの画素から成る画素領域に対応する平均電流値を、表示面内全てにおいて算出し、算出した平均電流値に所定の電流−熱変換係数を乗じて発熱量に対応する数値に換算した発熱量データを算出し、第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする。【選択図】  図２
2015184442.tif 000002
【特許請求の範囲】
【請求項１】
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示部の熱分布推定方法。
【請求項２】
第１の熱分布テーブルの数値に所定の温度換算係数を乗ずることで画像表示部の温度分布情報を得る、
請求項１に記載の画像表示部の熱分布推定方法。
【請求項３】
第１の熱分布テーブルの数値に所定の温度換算係数を乗じた数値に更に環境温度の数値を加えて画像表示部の温度分布情報を得る、
請求項２に記載の画像表示部の熱分布推定方法。
【請求項４】
所定の時間毎に、
画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする、
請求項１に記載の画像表示部の熱分布推定方法。
【請求項５】
第２の熱分布テーブルの数値に所定の温度換算係数を乗ずることで画像表示部とは異なる熱源による画像表示部の温度分布情報を得る、
請求項４に記載の画像表示部の熱分布推定方法。
【請求項６】
画像表示部とは別の熱源は画素領域の背面に配置された熱源である、
請求項４に記載の画像表示部の熱分布推定方法。
【請求項７】
第１の熱分布テーブルと第２の熱分布テーブルを加算して所定の温度換算係数を乗ずることで画像表示部の温度分布情報を得る、
請求項４に記載の画像表示部の熱分布推定方法。
【請求項８】
第１の熱分布テーブルと第２の熱分布テーブルを加算して所定の温度換算係数を乗じた数値に更に環境温度の数値を加算することで画像表示部の温度分布情報を得る、
請求項７に記載の画像表示部の熱分布推定方法。
【請求項９】
所定の時間毎に、
第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新する、
請求項１に記載の画像表示部の熱分布推定方法。
【請求項１０】
画像表示部とは別の熱源は画素領域の背面に配置された熱源である、
請求項９に記載の画像表示部熱分布推定方法。
【請求項１１】
第１の熱分布テーブルの数値に所定の温度換算係数を乗ずることで画像表示部の温度分布情報を得る、
請求項９に記載の画像表示部の熱分布推定方法。
【請求項１２】
第１の熱分布テーブルの数値に所定の温度換算係数を乗じた数値に更に環境温度の数値を加算することで画像表示部の温度分布情報を得る、
請求項１１に記載の画像表示部の熱分布推定方法。
【請求項１３】
複数の画素が配列されて成る画像表示部の熱分布を推定するための画像表示部の熱分布推定装置であって、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示部の熱分布推定装置。
【請求項１４】
複数の画素が配列されて成る画像表示部の熱分布を推定するための画像表示部の熱分布推定装置を備えた画像表示装置であって、
画像表示部の熱分布推定装置は、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示装置。
【請求項１５】
画像表示装置を備えた電子機器であって、
画像表示装置は、複数の画素が配列されて成る画像表示部の熱分布を推定する画像表示部の熱分布推定装置を備えており、
画像表示部の熱分布推定装置は、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
電子機器。
【請求項１６】
複数の画素が配列されて成る画像表示部の熱分布情報を得るために、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする処理を実行させる、
プログラム。
【発明の詳細な説明】
【技術分野】
【０００１】
本開示は、画像表示部の熱分布推定方法、係る画像表示部の熱分布推定方法の実行に適した画像表示部の熱分布推定装置、係る画像表示部の熱分布推定装置を備えた画像表示装置、係る画像表示装置を備えた電子機器、及び、画像表示部の熱分布推定方法を実行するためのプログラムに関する。
【背景技術】
【０００２】
近年、フラットパネル表示装置として、液晶表示装置や有機エレクトロルミネッセンス表示装置などに関心が高まっている。有機エレクトロルミネッセンス表示装置（以下、単に、「有機ＥＬ表示装置」と略称する場合がある）は自発光であり、薄型化や高輝度化に適しているといった点で、液晶表示装置と比較して利点を有する。
【０００３】
ところで、有機ＥＬ表示装置の各画素を構成する有機エレクトロルミネッセンス素子（以下、単に、「有機ＥＬ素子」と略称する場合がある）は、動作状態に応じて特性が変化し輝度が変化する場合がある。例えば、明るい画像表示を行う領域に属する有機ＥＬ素子は発熱量も多く発光量が増え、劣化しやすくなってしまう。テレビジョン装置の画像表示部に有機ＥＬ表示装置を用いた場合、受信チャンネル情報や時刻、文字データを含む各種データ等が画像表示部のコーナー部や下部に表示され続けるといったことが生じ得るが、このような状態にあっては、その部分において所謂「焼き付き」が視認されるといったことが生ずる。
【０００４】
このため、画像表示部の熱分布情報を取得し、これに基づいて輝度などを補正するといったことが考えられる。例えば、特開２０１１−２０３３１４号公報（特許文献１）には、複数の画素が配列されて成る画像表示部の温度分布情報などを画像データに基づき推定するといったことが記載されている。
【先行技術文献】
【特許文献】
【０００５】
【特許文献１】特開２０１１−２０３３１４号公報
【発明の概要】
【発明が解決しようとする課題】
【０００６】
画像表示部の温度は、画素の動作に伴い発生する熱や、熱伝導などによる放熱によって左右される。しかしながら、特許文献１にあっては、放熱といった要素が考慮されていない。また、例えば、画像表示部の背面などに配置される電源回路や信号処理回路などが発熱することによる影響も考慮されていない。このため、推定した熱分布と実際の熱分布との間に差が生ずるといった場合がある。
【０００７】
従って、本開示の目的は、より精度に優れた画像表示部の熱分布推定方法、係る画像表示部の熱分布推定方法の実行に適した画像表示部の熱分布推定装置、係る画像表示部の熱分布推定装置を備えた画像表示装置、係る画像表示装置を備えた電子機器、及び、係る画像表示部の熱分布推定方法を実行するためのプログラムを提供することにある。
【課題を解決するための手段】
【０００８】
上記の目的を達成するための本開示の第１の態様に係る画像表示部の熱分布推定方法は、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示部の熱分布推定方法である。
【０００９】
上記の目的を達成するための本開示の第１の態様に係る画像表示部の熱分布推定装置は、
複数の画素が配列されて成る画像表示部の熱分布を推定するための画像表示部の熱分布推定装置であって、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示部の熱分布推定装置である。
【００１０】
上記の目的を達成するための本開示の第１の態様に係る画像表示装置は、
複数の画素が配列されて成る画像表示部の熱分布を推定するための画像表示部の熱分布推定装置を備えた画像表示装置であって、
画像表示部の熱分布推定装置は、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示装置である。
【００１１】
上記の目的を達成するための本開示の第１の態様に係る電子機器は、
画像表示装置を備えた電子機器であって、
画像表示装置は、複数の画素が配列されて成る画像表示部の熱分布を推定する画像表示部の熱分布推定装置を備えており、
画像表示部の熱分布推定装置は、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
電子機器である。
【００１２】
上記の目的を達成するための本開示の第１の態様に係るプログラムは、
複数の画素が配列されて成る画像表示部の熱分布情報を得るために、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする処理を実行させる、
プログラムである。
【発明の効果】
【００１３】
本開示によれば、熱分布の推定にあたって放熱といった要素が考慮されているので、熱分布の推定の精度をより高めることができる。また、例えば、画像表示部の背面などに配置される電源回路や信号処理回路などが発熱することによる影響も考慮することができるので、画像表示部における熱分布をより高い精度で推定することが可能となる。
【図面の簡単な説明】
【００１４】
【図１】図１は、第１の実施形態に係る画像表示装置の概念図である。
【図２】図２は、画像表示部の熱分布推定装置の基本的な構成や動作を説明するための模式図である。
【図３】図３は、画像表示部の背面に配置された回路などの発熱による影響分を推定する場合の構成や動作を説明するための模式図である。
【図４】図４は、変形例に係る画像表示部の熱分布推定装置の構成や動作を説明するための模式図である。
【図５】図５は、更に別の変形例に係る画像表示部の熱分布推定装置の基本的な構成や動作を説明するための模式図である。
【図６】図６Ａは、１００×１００画素の白色表示パターンを模式的に示す画像である。図６Ｂは、図６Ａに示すパターンを画像表示装置に表示したときの温度分布情報を推定した結果を説明するための画像である。図６Ｃは、図６Ａに示すパターンを画像表示装置に表示したときの温度分布情報を実際に測定した結果を説明するための画像である。
【図７】図７Ａは、２００×２００画素の白色表示パターンを模式的に示す画像である。図７Ｂは、図７Ａに示すパターンを画像表示装置に表示したときの温度分布情報を推定した結果を説明するための画像である。図７Ｃは、図７Ａに示すパターンを画像表示装置に表示したときの温度分布情報を実際に測定した結果を説明するための画像である。
【図８】図８Ａは、静物の表示パターンを模式的に示す画像である。図８Ｂは、図８Ａに示すパターンを画像表示装置に表示したときの温度分布情報を推定した結果を説明するための画像である。図８Ｃは、図８Ａに示すパターンを画像表示装置に表示したときの温度分布情報を実際に測定した結果を説明するための画像である。
【図９】図９Ａ及び図９Ｂは、実施形態の表示装置の適用例１の外観を表す斜視図である。
【図１０】図１０は、実施形態の表示装置の適用例２の外観を表す斜視図である。
【発明を実施するための形態】
【００１５】
以下、図面を参照して、実施形態に基づき本開示を説明するが、本開示は実施形態に限定されるものではなく、実施形態における種々の数値や材料は例示である。尚、説明は、以下の順序で行う。
１．本開示の画像表示部の熱分布推定方法、画像表示部の熱分布推定装置、画像表示装置、画像表示装置を備えた電子機器、及び、プログラム、全般に関する説明
２．第１の実施形態
３．適用例（電子機器の例）、その他
【００１６】
［本開示の画像表示部の熱分布推定方法、画像表示部の熱分布推定装置、画像表示装置、画像表示装置を備えた電子機器、及び、プログラム、全般に関する説明］
本開示の第１の態様に係る画像表示部の熱分布推定方法、画像表示部の熱分布推定装置、画像表示装置、あるいは又、本開示のプログラム（以下、これらを総称して、単に「本開示」と呼ぶ場合がある）にあっては、第１の熱分布テーブルの数値に所定の温度換算係数を乗ずることで画像表示部の温度分布情報を得る構成とすることができる。この場合において、第１の熱分布テーブルの数値に所定の温度換算係数を乗じた数値に更に環境温度の数値を加えて画像表示部の温度分布情報を得る構成とすることができる。
【００１７】
上述した各種の好ましい構成を含む本開示にあっては、
所定の時間毎に、画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする構成とすることができる。この場合において、第２の熱分布テーブルの数値に所定の温度換算係数を乗ずることで画像表示部とは異なる熱源による画像表示部の温度分布情報を得る構成とすることができる。画像表示部とは別の熱源は画素領域の背面に配置された熱源である構成とすることができる。
【００１８】
所定の時間毎に、画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする構成にあっては、第１の熱分布テーブルと第２の熱分布テーブルを加算して所定の温度換算係数を乗ずることで画像表示部の温度分布情報を得る構成とすることができる。この場合において、第１の熱分布テーブルと第２の熱分布テーブルを加算して所定の温度換算係数を乗じた数値に更に環境温度の数値を加算することで画像表示部の温度分布情報を得る構成とすることができる。
【００１９】
あるいは又、所定の時間毎に、画像データに基づいて、複数の画素が配列されて成る画像表示部における少なくとも１つの画素から成る画素領域に対応する平均電流値を、表示面内全てにおいて算出し、算出した平均電流値に所定の電流−熱変換係数を乗じて発熱量に対応する数値に換算した発熱量データを算出し、第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする構成にあっては、所定の時間毎に、第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新する構成とすることができる。画像表示部とは別の熱源は画素領域の背面に配置された熱源である構成とすることができる。
【００２０】
そして、第１の熱分布テーブルの数値に所定の温度換算係数を乗ずることで画像表示部の温度分布情報を得る構成とすることができる。この場合において、第１の熱分布テーブルの数値に所定の温度換算係数を乗じた数値に更に環境温度の数値を加えて画像表示部の温度分布情報を得る構成とすることができる。
【００２１】
本開示において、画像表示部に入力される画像データは、周知の構成、構造を有する画像データとすればよいし、輝度情報は、周知の方法に基づき画像データから求めることができる。また、画素領域は、少なくとも１つの画素あるいは後述する画素ユニットから成るが、具体的には、画素領域を、１つの画素から構成してもよいし、例えば、ｍ×ｎ（ｍ，ｎは２以上の自然数であり、例えば、３×３、６×６、９×９等）から構成してもよい。画像表示部の温度分布とは、具体的には、画像データに基づき画像表示部において画像を表示する画素における温度分布である。
【００２２】
本開示において、電流−熱変換係数（後述する係数Ｋch）、放熱係数（後述する係数Ｋr）、温度換算係数（後述する係数Ｋtc）は、実機を用いた実測などの結果に基づいて、好適な推定が行えるような値を適宜選択して用いればよい。尚、領域毎オフセットテーブルに格納する数値などについても同様である。
【００２３】
２次元ローパスフィルタは、例えば、移動平均フィルタや加重平均フィルタといった周知のフィルタから構成することができる。オペレータの大きさは３×３に限らず、設計等に応じて適宜設定すればよい。
【００２４】
本開示に係る画像表示部の熱分布推定装置は、独立した回路構成とすることもできるが、本開示の画像表示装置を制御する例えば制御回路に含まれる構成、構造とすることが、装置全体の簡素化といった観点から好ましい。画像表示装置、及び、画像表示装置を制御する制御回路それ自体は、周知の画像表示装置、制御回路とすることができる。
【００２５】
温度推定は、１画像表示フレーム毎に行ってもよいし、所定の表示フレーム毎に行ってもよいし、所定の時間毎に行ってもよい。
【００２６】
以上に説明した好ましい形態、構成を含む本開示において、画素は自発光型の発光素子から構成され、あるいは又、画像表示装置は有機エレクトロルミネッセンス表示装置（有機ＥＬ表示装置）から構成され、画素は有機エレクトロルミネッセンス素子（有機ＥＬ素子）から構成されている形態とすることができる。尚、画像表示装置が単色表示の画像表示装置である場合、画素は１種類である。一方、画像表示装置がカラー表示の画像表示装置である場合、１つの画素ユニットを、３種類（例えば、赤色を発光する赤色発光画素、緑色を発光する緑色発光画素、青色を発光する青色発光画素）の画素から構成することができるし、これらの３種の画素に加え、輝度向上のために白色光を発光する画素、色再現範囲を拡大するために補色を発光する画素、色再現範囲を拡大するためにイエローを発光する画素、色再現範囲を拡大するためにイエロー及びシアンを発光する画素等、４種、あるいはそれ以上の画素から構成することもできる。尚、これらの場合の画素は、場合によっては「副画素」とも呼ばれる。
【００２７】
本開示において、発光素子を有機ＥＬ素子から構成する場合、有機ＥＬ素子を構成する有機層（発光部）は有機発光材料から成る発光層を備えているが、具体的には、例えば、正孔輸送層と発光層と電子輸送層との積層構造、正孔輸送層と電子輸送層を兼ねた発光層との積層構造、正孔注入層と正孔輸送層と発光層と電子輸送層と電子注入層との積層構造から構成することができる。
【００２８】
画像表示部は、画素あるいは画素ユニットを複数配置して成るが、ここで、画素あるいは画素ユニットの数を（Ｍ，Ｎ）で表したとき、ＶＧＡ（６４０，４８０）、Ｓ−ＶＧＡ（８００，６００）、ＸＧＡ（１０２４，７６８）、ＡＰＲＣ（１１５２，９００）、Ｓ−ＸＧＡ（１２８０，１０２４）、Ｕ−ＸＧＡ（１６００，１２００）、ＨＤ−ＴＶ（１９２０，１０８０）、Ｑ−ＸＧＡ（２０４８，１５３６）の他、（３８４０，２１６０）、（７６８０，４３２０）等、画像表示用解像度の幾つかを例示することができるが、これらの値に限定するものではない。画素の配列として、例えば、ストライプ配列、ダイアゴナル配列、デルタ配列、レクタングル配列を挙げることができる。
【００２９】
本開示の画像表示装置は、例えば、パーソナルコンピュータを構成するモニター装置として使用することができるし、スマートフォンなどの携帯電話、テレビジョン装置、ＰＤＡ（携帯情報端末，Personal Digital Assistant）、ゲーム機器に組み込まれたモニター装置として使用することができる。
【００３０】
本明細書に示す各種の条件は、厳密に成立する場合の他、実質的に成立する場合にも満たされる。設計上あるいは製造上生ずる種々のばらつきの存在は許容される。
【００３１】
［第１の実施形態］
第１の実施形態は、本開示の第１の態様に係る画像表示部の熱分布推定方法、画像表示部の熱分布推定装置、画像表示装置、画像表示装置を備えた電子機器、及び、プログラムに関する。画像表示装置の概念図を図１に示す。
【００３２】
画像表示部の熱分布推定装置５０は、複数の画素が配列されて成る画像表示部［発光素子を含む画素１１（１１R，１１G，１１B）を複数配置して成る画像表示部］１０の温度分布を推定する画像表示部の熱分布推定装置である。また、画像表示装置１は、係る画像表示部の熱分布推定装置５０を備えた画像表示装置である。
【００３３】
第１の実施形態における画像表示部の熱分布推定方法は、複数の画素１１が配列されて成る画像表示部の温度分布を推定する画像表示部の熱分布推定方法であって、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする。
【００３４】
また、第１の実施形態におけるプログラムは、
複数の画素が配列されて成る画像表示部の熱分布情報を得るために、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする処理を実行させる。画像表示部の熱分布推定装置５０は、係るプログラムの動作によって熱分布を推定する。
【００３５】
図１に示す画像表示部１０において、発光素子は、自発光型の発光素子、具体的には、有機ＥＬ素子から成る。画像表示部１０は、カラー表示の有機ＥＬ表示装置から成る。画素ユニットの数を（Ｍ，Ｎ）で表したとき、例えば（１９２０，１０８０）である。１つの画素ユニットは、赤色を発光する赤色発光画素１１R、緑色を発光する緑色発光画素１１G、及び、青色を発光する青色発光画素１１Bの３つの画素から構成されている。画像表示装置１には、各走査線ＳＣＬを制御（駆動）するゲートドライバ２０、及び、信号線ＤＴＬを介して画素に画像データ及び輝度情報（画像信号及び輝度信号）を供給するデータドライバ３０が備えられている。ゲートドライバ２０及びデータドライバ３０の動作は、制御回路４０によって制御される。また、画像表示部の熱分布推定装置５０は、制御回路４０に含まれる。画像表示装置１、並びに、画像表示装置１を制御する制御回路４０、ゲートドライバ２０及びデータドライバ３０それ自体は、周知の画像表示装置、制御回路、走査線制御回路、信号線制御回路とすることができるので、詳細な説明は省略する。
【００３６】
画像表示部１０に入力される画像データは、例えば、放送局から送信されてくるテレビジョン放送における映像信号であり、輝度情報（輝度信号Ｙ）は、周知の方法に基づき画像データから求めることができる。画像表示部１０の温度分布とは、画像表示部１０を構成する画素１１に生じる温度分布である。通常、画像の３刺激値ＸＹＺもしくはＲＧＢ信号レベルが高い程多くの電流が流れ、画素１１の温度は高くなる。
【００３７】
図２は、第１の実施形態に係る画像表示部の熱分布推定装置の基本的な構成や動作を説明するための模式図である。
【００３８】
画像表示部の熱分布推定装置５０は、所定の時間毎（例えば１０フレーム毎）に、画像データに基づいて、少なくとも１つの画素から成る画素領域に対応する平均電流値を、表示面内全てにおいて算出して、平均電流値テーブル５０１を作成する。
【００３９】
そして、算出した平均電流値に所定の電流−熱変換係数を乗じて発熱量に対応する数値に換算した発熱量データを算出する。具体的には、乗算器５０２によって、平均電流値テーブル５０１の数値に電流と熱量の関係を規定した所定の電流−熱変換係数Ｋchを乗算する。
【００４０】
次いで、第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする。
【００４１】
具体的には、加算器５０３によって第１の熱分布テーブルに発熱量データが加算され、第１の熱分布テーブルが更新される。そして、バッファ５０６に格納された値に２次元ローパスフィルタ５０７による処理を施す。その後、乗算器５０８によって、画像表示部１０の放熱特性に基づいて規定した放熱係数Ｋrを乗算する。これによって、新たな第１の熱分布テーブルが得られる。
【００４２】
また、熱分布テーブルの数値に所定の温度換算係数を乗ずることで画像表示部１０の温度分布情報を得る。更には、熱分布テーブルの数値に所定の温度換算係数を乗じた数値に更に環境温度の数値を加算することで画像表示部１０の温度分布情報を得る。
【００４３】
具体的には、図２に示すループの出力（換言すれば、更新された第１の熱分布テーブルの数値）に、乗算器５０４によって、熱量を温度に換算する所定の温度換算係数Ｋtcが乗算される。その後、例えば図示せぬ温度センサが取得した環境温度の数値Ｔaの値が、加算器５０５によって加算される。
【００４４】
以上、画像表示部の熱分布推定装置の基本的な構成や動作について説明した。
【００４５】
尚、上記の動作では、画像表示部１０が動作することによる温度変化を推定することはできるが、画像表示部１０とは別の発熱源による影響を推定することはできない。次いで、例えば、画像表示部１０の背面に配置された図示せぬ回路などの発熱による影響分を推定する場合の構成や動作について説明する。以下の説明において、画像表示部１０とは異なる熱源は、画素領域の背面に配置された熱源であるとする。
【００４６】
図３は、画像表示部の背面に配置された回路などの発熱による影響分を推定する場合の構成や動作を説明するための模式図である。
【００４７】
例えば、画素領域の位置に対応し画像表示部１０とは異なる熱源の発熱量を示すオフセット値を表示面内全てに対応して納めた領域毎オフセットテーブル５１１を用意しておく。このテーブルには、例えば、画像表示装置の動作時において、画像表示部１０の裏面に配置された電源回路などが発生する熱量に対応する数値が、所定の定数として予め格納されている。画像表示部１０とは異なる熱源は、画素領域の背面に配置された熱源である、
【００４８】
所定の時間毎に、領域毎オフセットテーブル５１１について、図２に示したと同様のループを作用させることによって、画素領域の位置に対応し画像表示部１０とは異なる熱源による熱分布を推定することができる。
【００４９】
即ち、所定の時間毎に、画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする。
【００５０】
具体的には、加算器５１３によって第２の熱分布テーブルに発熱量データが加算され、第２の熱分布テーブルが更新される。そして、バッファ５１６に格納された値に２次元ローパスフィルタ５１７による処理を施す。その後、乗算器５１８によって、画像表示部１０の放熱特性に基づいて規定した放熱係数Ｋrを乗算する。これによって、新たな第２の熱分布テーブルが得られる。
【００５１】
図４は、変形例に係る画像表示部の熱分布推定装置の構成や動作を説明するための模式図である。
【００５２】
この画像表示部の熱分布推定装置５０Ａは、図２に示す画像表示部の熱分布推定装置５０に、図３に示す構成を更に加えた態様となっており、画像表示部１０の自己発熱と画像表示部１０の裏面に配置された回路などの発熱による影響を勘案して熱分布を推定することができる。
【００５３】
図４に示す構成にあっては、第１の熱分布テーブルと第２の熱分布テーブルを加算して所定の温度換算係数を乗ずることで画像表示部の温度分布情報を得る。そして、第１の熱分布テーブルと第２の熱分布テーブルを加算して所定の温度換算係数を乗じた数値に更に環境温度の数値を加算することで画像表示部の温度分布情報を得ることができる。
【００５４】
具体的には、加算器５１５によって第１の熱分布テーブルと第２の熱分布テーブルの数値が加算され、乗算器５０４によって熱量を温度に換算する所定の温度換算係数Ｋtcが乗算される。その後、例えば図示せぬ温度センサが取得した環境温度の数値Ｔaの値が、加算器５０５によって加算される。
【００５５】
図５は、更に別の変形例に係る画像表示部の熱分布推定装置の基本的な構成や動作を説明するための模式図である。
【００５６】
図４に示す画像表示部の熱分布推定装置５０Ａでは、バッファ及び２次元ローパスフィルタから構成されるループを二つ含むので回路構成が大きくなるといった問題がある。
【００５７】
そこで、図５に示す画像表示部の熱分布推定装置５０Ｂでは、所定の時間毎に、第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新するといった構成としている。
【００５８】
具体的には、図２で示す乗算器５０２と加算器５０３との間に加算器５２３を追加し、ここに、領域毎オフセットテーブル５１１の値を加算するといった構成としている。これによって、バッファ及び２次元ローパスフィルタから構成されるループを統合することができ、回路構成を簡便なものにすることができる。
【００５９】
この構成においても、第１の熱分布テーブルの数値に所定の温度換算係数を乗ずることで画像表示部の温度分布情報を得ることができる。更には、第１の熱分布テーブルの数値に所定の温度換算係数を乗じた数値に更に環境温度の数値を加算することで画像表示部の温度分布情報を得ることができる。
【００６０】
図５の構成の画像表示部の熱分布推定装置による推定結果を、図６、図７、図８、及び、図９を参照して説明する。
【００６１】
図６Ａに示す画像を画像表示装置１の画像表示部１０に表示した。これは、背景を黒とした１００×１００画素の白色表示パターンである。そして、この画像をサーモグラフィによって撮像して得られたサーモグラフィ画像を図６Ｂに示す。更に、この画像に基づき、画像表示部１０の温度を推定した結果を、図６Ｃに示す。サーモグラフィ画像（図６Ｂ参照）と温度分布推定結果（図６Ｃ参照）とは、ほど良く一致していることが判る。
【００６２】
図７Ａに示す画像を画像表示装置１の画像表示部１０に表示した。これは、背景を黒とした２００×２００画素の白色表示パターンである。そして、この画像をサーモグラフィによって撮像して得られたサーモグラフィ画像を図７Ｂに示す。更に、この画像に基づき、画像表示部１０の温度を推定した結果を、図７Ｃに示す。サーモグラフィ画像（図７Ｂ参照）と温度分布推定結果（図７Ｃ参照）とは、ほど良く一致していることが判る。
【００６３】
図８Ａに示す画像を画像表示装置１の画像表示部１０に表示した。これは、グラデーションのある静物画像表示パターンである。そして、この画像をサーモグラフィによって撮像して得られたサーモグラフィ画像を図８Ｂに示す。更に、この画像に基づき、画像表示部１０の温度を推定した結果を、図８Ｃに示す。サーモグラフィ画像（図８Ｂ参照）と温度分布推定結果（図８Ｃ参照）とは、ほど良く一致していることが判る。
【００６４】
［適用例（電子機器の例）］
上述した画像表示装置の電子機器への適用例について説明する。電子機器として、外部から入力された映像信号あるいは内部で生成した映像信号を、画像あるいは映像として表示する電子機器を挙げることができる。
（適用例１）
図９Ａ及び図９Ｂはそれぞれ、上記の実施形態の画像表示装置が適用されるスマートフォンの外観を表したものである。このスマートフォン６０，６０’は、例えば、表示部６１，６１’を有している。この表示部６０，６１’が上記の実施形態の画像表示装置により構成されている。上記の実施形態の画像表示装置を適用することにより、温度推定を精度よく行うことができるため、このスマートフォン６０，６０’の品質向上に貢献することができる。
【００６５】
（適用例２）
図１０は、上記の実施形態の画像表示装置が適用されるテレビジョン装置の外観を表したものである。このテレビジョン装置７０は、例えば、映像表示画面部７１を有している。この映像表示画面部７１が実施形態の表示装置により構成されている。上記の実施形態の表示装置を適用することにより、温度推定を精度よく行うことができるため、このテレビジョン装置７０の品質向上に貢献することができる。
【００６６】
以上、本開示の実施形態について具体的に説明したが、本開示は、上述の実施形態に限定されるものではなく、本開示の技術的思想に基づく各種の変形が可能である。例えば、上述の実施形態において挙げた数値、構造、基板、原料、プロセスなどはあくまでも例に過ぎず、必要に応じて、これらと異なる数値、構造、基板、原料、プロセスなどを用いてもよい。
【００６７】
尚、本開示の技術は以下のような構成も取ることができる。
［１］
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示部の熱分布推定方法。
［２］
第１の熱分布テーブルの数値に所定の温度換算係数を乗ずることで画像表示部の温度分布情報を得る、
上記［１］に記載の画像表示部の熱分布推定方法。
［３］
第１の熱分布テーブルの数値に所定の温度換算係数を乗じた数値に更に環境温度の数値を加えて画像表示部の温度分布情報を得る、
上記［２］に記載の画像表示部の熱分布推定方法。
［４］
所定の時間毎に、
画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする、
上記［１］に記載の画像表示部の熱分布推定方法。
［５］
第２の熱分布テーブルの数値に所定の温度換算係数を乗ずることで画像表示部とは異なる熱源による画像表示部の温度分布情報を得る、
上記［４］に記載の画像表示部の熱分布推定方法。
［６］
画像表示部とは別の熱源は画素領域の背面に配置された熱源である、
上記［４］に記載の画像表示部熱分布推定方法。
［７］
第１の熱分布テーブルと第２の熱分布テーブルを加算して所定の温度換算係数を乗ずることで画像表示部の温度分布情報を得る、
上記［４］に記載の画像表示部の熱分布推定方法。
［８］
第１の熱分布テーブルと第２の熱分布テーブルを加算して所定の温度換算係数を乗じた数値に更に環境温度の数値を加算することで画像表示部の温度分布情報を得る、
上記［７］に記載の画像表示部の熱分布推定方法。
［９］
所定の時間毎に、
第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新する、
上記［１］に記載の画像表示部の熱分布推定方法。
［１０］
画像表示部とは別の熱源は画素領域の背面に配置された熱源である、
上記［９］に記載の画像表示部熱分布推定方法。
［１１］
第１の熱分布テーブルの数値に所定の温度換算係数を乗ずることで画像表示部の温度分布情報を得る、
上記［９］に記載の画像表示部の熱分布推定方法。
［１２］
第１の熱分布テーブルの数値に所定の温度換算係数を乗じた数値に更に環境温度の数値を加算することで画像表示部の温度分布情報を得る、
上記［１１］に記載の画像表示部の熱分布推定方法。
［１３］
複数の画素が配列されて成る画像表示部の熱分布を推定するための画像表示部の熱分布推定装置であって、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示部の熱分布推定装置。
［１４］
第１の熱分布テーブルの数値に所定の温度換算係数を乗ずることで画像表示部の温度分布情報を得る、
上記［１３］に記載の画像表示部の熱分布推定装置。
［１５］
第１の熱分布テーブルの数値に所定の温度換算係数を乗じた数値に更に環境温度の数値を加えて画像表示部の温度分布情報を得る、
上記［１４］に記載の画像表示部の熱分布推定装置。
［１６］
所定の時間毎に、
画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする、
上記［１３］に記載の画像表示部の熱分布推定装置。
［１７］
第２の熱分布テーブルの数値に所定の温度換算係数を乗ずることで画像表示部とは異なる熱源による画像表示部の温度分布情報を得る、
上記［１６］に記載の画像表示部の熱分布推定装置。
［１８］
画像表示部とは別の熱源は画素領域の背面に配置された熱源である、
上記［１６］に記載の画像表示部熱分布推定装置。
［１９］
第１の熱分布テーブルと第２の熱分布テーブルを加算して所定の温度換算係数を乗ずることで画像表示部の温度分布情報を得る、
上記［１６］に記載の画像表示部の熱分布推定装置。
［２０］
第１の熱分布テーブルと第２の熱分布テーブルを加算して所定の温度換算係数を乗じた数値に更に環境温度の数値を加算することで画像表示部の温度分布情報を得る、
上記［１９］に記載の画像表示部の熱分布推定装置。
［２１］
所定の時間毎に、
第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新する、
上記［１３］に記載の画像表示部の熱分布推定装置。
［２２］
画像表示部とは別の熱源は画素領域の背面に配置された熱源である、
上記［２１］に記載の画像表示部熱分布推定装置。
［２３］
第１の熱分布テーブルの数値に所定の温度換算係数を乗ずることで画像表示部の温度分布情報を得る、
上記［２１］に記載の画像表示部の熱分布推定装置。
［２４］
第１の熱分布テーブルの数値に所定の温度換算係数を乗じた数値に更に環境温度の数値を加算することで画像表示部の温度分布情報を得る、
上記［２３］に記載の画像表示部の熱分布推定装置。
［２５］
複数の画素が配列されて成る画像表示部の熱分布を推定するための画像表示部の熱分布推定装置を備えた画像表示装置であって、
画像表示部の熱分布推定装置は、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
画像表示装置。
［２６］
第１の熱分布テーブルの数値に所定の温度換算係数を乗ずることで画像表示部の温度分布情報を得る、
上記［２５］に記載の画像表示装置。
［２７］
第１の熱分布テーブルの数値に所定の温度換算係数を乗じた数値に更に環境温度の数値を加えて画像表示部の温度分布情報を得る、
上記［２６］に記載の画像表示装置。
［２８］
所定の時間毎に、
画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする、
上記［２５］に記載の画像表示装置。
［２９］
第２の熱分布テーブルの数値に所定の温度換算係数を乗ずることで画像表示部とは異なる熱源による画像表示部の温度分布情報を得る、
上記［２８］に記載の画像表示装置。
［３０］
画像表示部とは別の熱源は画素領域の背面に配置された熱源である、
上記［２８］に記載の画像表示部熱分布推定方法。
［３１］
第１の熱分布テーブルと第２の熱分布テーブルを加算して所定の温度換算係数を乗ずることで画像表示部の温度分布情報を得る、
上記［２８］に記載の画像表示装置。
［３２］
第１の熱分布テーブルと第２の熱分布テーブルを加算して所定の温度換算係数を乗じた数値に更に環境温度の数値を加算することで画像表示部の温度分布情報を得る、
上記［３１］に記載の画像表示装置。
［３３］
所定の時間毎に、
第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新する、
上記［２５］に記載の画像表示装置。
［３４］
画像表示部とは別の熱源は画素領域の背面に配置された熱源である、
上記［３３］に記載の画像表示部熱分布推定方法。
［３５］
第１の熱分布テーブルの数値に所定の温度換算係数を乗ずることで画像表示部の温度分布情報を得る、
上記［３３］に記載の画像表示装置。
［３６］
第１の熱分布テーブルの数値に所定の温度換算係数を乗じた数値に更に環境温度の数値を加算することで画像表示部の温度分布情報を得る、
上記［３５］に記載の画像表示装置。
［３７］
画像表示装置を備えた電子機器であって、
画像表示装置は、複数の画素が配列されて成る画像表示部の熱分布を推定する画像表示部の熱分布推定装置を備えており、
画像表示部の熱分布推定装置は、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする、
電子機器。
［３８］
第１の熱分布テーブルの数値に所定の温度換算係数を乗ずることで画像表示部の温度分布情報を得る、
上記［３７］に記載の電子機器。
［３９］
第１の熱分布テーブルの数値に所定の温度換算係数を乗じた数値に更に環境温度の数値を加えて画像表示部の温度分布情報を得る、
上記［３８］に記載の電子機器。
［４０］
所定の時間毎に、
画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする、
上記［３７］に記載の電子機器。
［４１］
第２の熱分布テーブルの数値に所定の温度換算係数を乗ずることで画像表示部とは異なる熱源による画像表示部の温度分布情報を得る、
上記［４０］に記載の電子機器。
［４２］
画像表示部とは別の熱源は画素領域の背面に配置された熱源である、
上記［４０］に記載の画像表示部熱分布推定方法。
［４３］
第１の熱分布テーブルと第２の熱分布テーブルを加算して所定の温度換算係数を乗ずることで画像表示部の温度分布情報を得る、
上記［４０］に記載の電子機器。
［４４］
第１の熱分布テーブルと第２の熱分布テーブルを加算して所定の温度換算係数を乗じた数値に更に環境温度の数値を加算することで画像表示部の温度分布情報を得る、
上記［４３］に記載の電子機器。
［４５］
所定の時間毎に、
第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新する、
上記［３７］に記載の電子機器。
［４６］
画像表示部とは別の熱源は画素領域の背面に配置された熱源である、
上記［４５］に記載の画像表示部熱分布推定方法。
［４７］
第１の熱分布テーブルの数値に所定の温度換算係数を乗ずることで画像表示部の温度分布情報を得る、
上記［４５］に記載の電子機器。
［４８］
第１の熱分布テーブルの数値に所定の温度換算係数を乗じた数値に更に環境温度の数値を加算することで画像表示部の温度分布情報を得る、
上記［４７］に記載の電子機器。
［４９］
複数の画素が配列されて成る画像表示部の熱分布情報を得るために、
所定の時間毎に、
画像データに基づいて、複数の画素が配列されて成る画像表示部における少なくとも１つの画素から成る画素領域に対応する平均電流値を、表示面内全てにおいて算出し、
算出した平均電流値に所定の電流−熱変換係数を乗じて発熱量に対応する数値に換算した発熱量データを算出し、
第１の熱分布テーブルに発熱量データを加算して第１の熱分布テーブルを更新し、更新した第１の熱分布テーブルに２次元ローパスフィルタ処理を施した後に所定の放熱係数を乗じて、新たな第１の熱分布テーブルとする処理を実行させる、
プログラム。
［５０］
第１の熱分布テーブルの数値に所定の温度換算係数を乗ずることで画像表示部の温度分布情報を得る、
上記［４９］に記載のプログラム。
［５１］
第１の熱分布テーブルの数値に所定の温度換算係数を乗じた数値に更に環境温度の数値を加えて画像表示部の温度分布情報を得る、
上記［５０］に記載のプログラム。
［５２］
所定の時間毎に、
画素領域の位置に対応し画像表示部とは別の熱源の発熱量を示すオフセット値を表示面内全てに対応して格納した領域毎オフセットテーブルの数値を第２の熱分布テーブルに加算して第２の熱分布テーブルを更新し、更新した第２の熱分布テーブルに２次元ローパスフィルタ処理を施した後に所定の放熱係数を乗じて、新たな第２の熱分布テーブルとする、
上記［４９］に記載のプログラム。
［５３］
第２の熱分布テーブルの数値に所定の温度換算係数を乗ずることで画像表示部とは異なる熱源による画像表示部の温度分布情報を得る、
上記［５２］に記載のプログラム。
［５４］
画像表示部とは別の熱源は画素領域の背面に配置された熱源である、
上記［５２］に記載の画像表示部熱分布推定方法。
［５５］
第１の熱分布テーブルと第２の熱分布テーブルを加算して所定の温度換算係数を乗ずることで画像表示部の温度分布情報を得る、
上記［５２］に記載のプログラム。
［５６］
第１の熱分布テーブルと第２の熱分布テーブルを加算して所定の温度換算係数を乗じた数値に更に環境温度の数値を加算することで画像表示部の温度分布情報を得る、
上記［５５］に記載のプログラム。
［５７］
所定の時間毎に、
第１の熱分布テーブルに、更に、画素領域の位置に対応し画像表示部とは異なる熱源の発熱量を示すオフセット値を表示面内全てに対応して納めた領域毎オフセットテーブルの数値を加算して第１の熱分布テーブルを更新する、
上記［４９］に記載のプログラム。
［５８］
画像表示部とは別の熱源は画素領域の背面に配置された熱源である、
上記［５７］に記載の画像表示部熱分布推定方法。
［５９］
第１の熱分布テーブルの数値に所定の温度換算係数を乗ずることで画像表示部の温度分布情報を得る、
上記［５７］に記載のプログラム。
［６０］
第１の熱分布テーブルの数値に所定の温度換算係数を乗じた数値に更に環境温度の数値を加算することで画像表示部の温度分布情報を得る、
上記［５９］に記載のプログラム。
【符号の説明】
【００６８】
１・・・画像表示装置、１０・・画像表示部、１１（１１R，１１G，１１B）・・・画素、２０・・・ゲートドライバ、３０・・・データドライバ、４０・・・制御回路、５０，５０Ａ，５０Ｂ・・・画像表示部の熱分布推定装置、６０，６０’・・・スマートフォン、６１，６１’・・・表示部、７０・・・テレビジョン装置、７１・・・表示部、５０１・・・平均電流値テーブル、５１１・・・領域毎オフセットテーブル、５０２，５０４，５０８，５１８・・・乗算器、５０３，５０５，５１３，５２３・・・加算器、５０６，５１６・・・バッファ、５０７、５１７・・・２次元ローパスフィルタ、
ＳＣＬ・・・走査線、ＤＴＬ・・・データ線
【図１】
2015184442.tif 000003
【図２】
2015184442.tif 000004
【図３】
2015184442.tif 000005
【図４】
2015184442.tif 000006
【図５】
2015184442.tif 000007
【図９】
2015184442.tif 000008
【図１０】
2015184442.tif 000009
【図６】
2015184442.tif 000010
【図７】
2015184442.tif 000011
【図８】
2015184442.tif 000012